(57)【要約】【課題】デザイン性が良く、バルブ本体の上部に設けられた操作レバーと下部に設けられた操作レバーとを使用者が適宜使い分けることができる飲料注出バルブを提供する。【解決手段】飲料注出バルブ１００は、バルブ本体１０と、希釈水流路３ａ及び飲料原液流路４ａと、希釈水流路３ａ及び飲料原液流路４ａに設けられる希釈水流路弁２３及び原液流路弁２４と、バルブ本体１０の上部に設けられる上側操作レバー１２と、バルブ本体１０の下部に着脱可能に設けられる下側操作レバー２０とを備え、希釈水流路弁２３及び原液流路弁２４の開閉は、上側操作レバー１２又は下側操作レバー２０によって制御される。【選択図】図６
2018020803.tif 000002
【特許請求の範囲】
【請求項１】
バルブ本体と、
前記バルブ本体に飲料を供給する飲料供給流路と、
前記飲料供給流路に設けられる流路弁と、
前記バルブ本体の上部に設けられる上側操作レバーと、  
前記バルブ本体の下部に着脱可能に設けられる下側操作レバーとを備え、
前記飲料供給流路の前記流路弁の開閉は、前記上側操作レバー又は前記下側操作レバーによって制御される飲料注出バルブ。
【請求項２】
前記バルブ本体は、前記流路弁を押圧することにより前記流路弁を開放可能である押圧部を有し、前記押圧部には前記上側操作レバーが接続されるとともに、前記下側操作レバーが着脱可能に接続される請求項１に記載の飲料注出バルブ。
【請求項３】
前記バルブ本体は、下方に面する底面部と、前記底面部に設けられるとともに、前記飲料を前記下方に注ぎ出す注出機構とを有し、前記底面部は傾斜面を有する請求項１又は２に記載の飲料注出バルブ。
【請求項４】
前記傾斜面は、前記バルブ本体の正面側から奥側に向かって前記下方に傾斜する請求項３に記載の飲料注出バルブ。
【発明の詳細な説明】
【技術分野】
【０００１】
この発明は、飲料注出バルブに関する。
【背景技術】
【０００２】
飲料ディスペンサに取り付けられる飲料注出バルブには、特許文献１に示すように、操作レバーが上部に取り付けられるものと、下部に取り付けられるものとがある。一般に、酒類を注ぎ出すビールコックには操作レバーが上部に配置されたものが多い。その一方で、シロップ、リカー等の飲料原液と希釈水とを混合して注ぎ出す飲料注出バルブ、すなわちポストミックスバルブには操作レバーが下部に配置されるものが多い。
【先行技術文献】
【特許文献】
【０００３】
【特許文献１】特開２０００−２０３６９３号公報
【発明の概要】
【発明が解決しようとする課題】
【０００４】
しかしながら、特許文献１の飲料注出バルブを備えた飲料ディスペンサでは、上部にレバーを有する飲料注出バルブと、下部にレバーを有する飲料注出バルブとが存在すると、全体的なデザインとして統一がとれないという問題があった。従って、飲料ディスペンサにデザイン上の統一感を持たせるためには、ポストミックスバルブに設けられる操作レバーも、ビールコックに合わせてポストミックスバルブの下部ではなく上部に配置することがより好ましい。
【０００５】
一方で、使用者の好みによっては、飲料注出バルブの操作レバーが下部に配置されていた方が都合が良いという場合も存在する。しかしながら、特許文献１に示す飲料ディスペンサに取り付けられた各々の飲料注出バルブでは、使用者が好みに応じて適宜、上部の操作レバーを使用したり、下部の操作レバーを使用したりしたいという要求を充たすことができなかった。
【０００６】
この発明は、このような問題を解決するためになされ、デザイン性が良く、バルブ本体の上部に設けられた操作レバーと下部に設けられた操作レバーとを使用者が適宜使い分けることができる飲料注出バルブを提供することを目的とする。
【課題を解決するための手段】
【０００７】
上記の課題を解決するために、この発明に係る飲料注出バルブは、バルブ本体と、バルブ本体に飲料を供給する飲料供給流路と、飲料供給流路に設けられる流路弁と、バルブ本体の上部に設けられる上側操作レバーと、バルブ本体の下部に着脱可能に設けられる下側操作レバーとを備え、飲料供給流路の流路弁の開閉は、上側操作レバー又は下側操作レバーによって制御される。
【０００８】
また、この発明に係る飲料注出バルブのバルブ本体は、流路弁を押圧することにより流路弁を開放可能である押圧部を有し、押圧部には上側操作レバーが接続されるとともに、下側操作レバーが着脱可能に接続されてもよい。
【０００９】
さらに、バルブ本体は、下方に面する底面部と、底面部に設けられるとともに、飲料を下方に注ぎ出す注出機構とを有し、底面部は傾斜面を有していてもよい。
また、この傾斜面は、バルブ本体の正面側から奥側に向かって下方に傾斜してもよい。
【発明の効果】
【００１０】
この発明に係る飲料注出バルブによれば、デザイン性が向上し、バルブ本体の上部に設けられた操作レバーと下部に設けられた操作レバーとを使用者が適宜使い分けることができる。
【図面の簡単な説明】
【００１１】
【図１】この発明の実施の形態に係る飲料注出バルブを示す斜視図である。
【図２】図１に示す飲料注出バルブを示す側面図である。
【図３】図１に示す飲料注出バルブの内部構造を示す斜視図である。
【図４】図１に示す飲料注出バルブから下側操作レバーを取り外した時の内部構造を示す斜視図である。
【図５】図１に示す飲料注出バルブを底面部側から見た状態を示す斜視図である。
【図６】図１に示す飲料注出バルブの内部構造を示す断面側面図であり、図６（ｉ）は、バルブ本体から飲料が注ぎ出されていない時の状態を示し、図６（ｉｉ）は、バルブ本体から飲料が注ぎ出されている時の状態を示している。
【発明を実施するための形態】
【００１２】
以下、この発明の実施の形態について添付図面に基づいて説明する。
なお、以下の説明において、飲料注出バルブ１００に対して、使用者が立って操作をする側を正面側Ｆとする。また、正面側Ｆの反対側を奥側Ｂとする。
【００１３】
図１及び２に示すように、飲料注出バルブ１００のバルブ本体１０は、カバー１１に被覆されている。また、図２に示すように、バルブ本体１０の底部には、下方に面する底面部１６が設けられている。そして、底面部１６には、正面側Ｆから奥側Ｂに向かって下方に傾斜する傾斜面１６ａが形成される。さらに、底面部１６の正面側Ｆ寄りの部分にはノズル１３が設けられている。また、ノズル１３には下方に飲料を注ぎ出すための注出口１３ａが設けられる。一方、底面部１６の奥側Ｂ寄りの部分には、矩形の取付開口１６ｂが形成される（図５参照）。また、バルブ本体１０の上部には、上方に延長する上側操作レバー１２が取り付けられている。さらに、バルブ本体１０の下部には、下方に延長する下側操作レバー２０が取り付けられている。
ここで、ノズル１３は注出機構を構成する。
【００１４】
また、バルブ本体１０には、希釈水供給管３と飲料原液供給管４とが接続されている。希釈水供給管３の内部には炭酸水や水等の希釈水が流通する希釈水流路３ａが、飲料原液供給管４の内部にはシロップやリカー等の飲料原液が流通する飲料原液流路４ａが形成される。そして、希釈水流路３ａの希釈水及び飲料原液流路４ａの飲料原液はバルブ本体１０に圧送されて供給される。
ここで、希釈水流路３ａ及び飲料原液流路４ａは飲料供給流路を構成する。
【００１５】
図３に示すように、上側操作レバー１２の下部には略円筒形状の取付部２８が設けられる。そして、上側操作レバー１２は、取付部２８を介してバルブ本体１０の内部に設けられるシャフト２７にスライド可能に取り付けられている。また、シャフト２７の両端は、レバーアーム２５に固定され、支持されている。すなわち、上側操作レバー１２は、取付部２８及びシャフト２７を介してレバーアーム２５に接続される。また、レバーアーム２５は、支点２５ａを中心としてバルブ本体１０に対して回動することができる。
【００１６】
また、上側操作レバー１２の取付部２８の正面側Ｆには、取付部２８に近接するように希釈水流路弁２３の上端部２３ａ及び原液流路弁２４の上端部２４ａが配置されている。希釈水流路弁２３及び原液流路弁２４は、各々、希釈水供給管３及び飲料原液供給管４に接続される。そして、希釈水流路弁２３の下端部２３ｂ及び原液流路弁２４の下端部２４ｂは、各々、希釈水供給管３の内部の希釈水流路３ａ及び飲料原液供給管４の内部の飲料原液流路４ａに開閉可能に設けられている（図６参照）。
ここで、希釈水流路弁２３及び原液流路弁２４は、流路弁を構成する。また、レバーアーム２５、シャフト２７及び取付部２８は、希釈水流路弁２３の上端部２３ａ及び原液流路弁２４の上端部２４ａを押圧することができる押圧部を構成する。
【００１７】
次に、下側操作レバー２０の詳細な構造について説明する。
図２に示すように、下側操作レバー２０は、底面部１６から下方に突出する第一延長部２０ａと、第一延長部２０ａの下端に直交して接続され、正面側Ｆに向かって延長する第二延長部２０ｂと、第二延長部２０ｂの正面側Ｆの端部に直交して接続され、下方に向かって延長する第三延長部２０ｃとを有する。また、図４に示すように、第一延長部２０ａの上端には、略矩形の板状の係合部２０ｄが設けられている。
【００１８】
さらに、図５に示すように、下側操作レバー２０の第一延長部２０ａは、底面部１６の取付開口１６ｂを介してバルブ本体１０の内部に向かって延長している。そして、図６（ｉ）及び（ｉｉ）に示すように、下側操作レバー２０は第一延長部２０ａの係合部２０ｄを介してレバーアーム２５に取り付けられている。なお、図４に示すように、下側操作レバー２０はバルブ本体１０のレバーアーム２５に対して着脱可能である。
【００１９】
次に、飲料注出バルブ１００の動作について説明する。
使用者が上側操作レバー１２を正面側Ｆに引く、又は、下側操作レバー２０の第三延長部２０ｃにコップを押し当てて下側操作レバー２０を奥側Ｂに押すと、図６（ｉｉ）に示すように、レバーアーム２５、シャフト２７及び取付部２８は正面側Ｆに回動する。これによって、取付部２８は希釈水流路弁２３の上端部２３ａ及び原液流路弁２４の上端部２４ａを正面側Ｆに押圧する。
【００２０】
そして、希釈水流路弁２３の上端部２３ａ及び原液流路弁２４の上端部２４ａが正面側Ｆに向かって押圧されることにより、希釈水流路弁２３の下端部２３ｂ及び原液流路弁２４の下端部２４ｂも図６（ｉｉ）に示すように回動する。これにより、希釈水流路３ａの希釈水流路弁２３及び飲料原液流路４ａの原液流路弁２４が開放される。すなわち、希釈水流路弁２３及び原液流路弁２４の開閉は、上側操作レバー１２又は下側操作レバー２０によって制御される。従って、使用者が上側操作レバー１２を正面側Ｆに引く、又は、下側操作レバー２０を奥側Ｂに押すことにより、バルブ本体１０には希釈水供給管３及び飲料原液供給管４から希釈水及び飲料原液が供給される。そして、希釈水及び飲料原液はノズル１３の内部に流入して混合し合い、混合飲料として、注出口１３ａを介して真下のコップに供給される。
【００２１】
以上より、この実施の形態に係る飲料注出バルブ１００は、バルブ本体１０の上部に設けられる上側操作レバー１２を備えることにより、一般的に上側にレバーを有するビールコック等とデザインを統一させることができ、デザイン性が向上する。また、これに加え、バルブ本体１０の下部には下側操作レバー２０が着脱可能に設けられているため、使用者は上側操作レバー１２又は下側操作レバー２０を好みに応じて使い分けて操作することができる。また、下側操作レバー２０はバルブ本体１０に対して着脱可能なので、下側操作レバー２０を使用しない時は取り外しておくことができる。
【００２２】
また、上側操作レバー１２及び下側操作レバー２０は、ともにレバーアーム２５に接続されている。ここで、レバーアーム２５の回動によって取付部２８は希釈水流路弁２３及び原液流路弁２４を押圧し、開放することができる。従って、バルブ本体１０に上側操作レバー１２及び下側操作レバー２０の両方が取り付けられていても、バルブ本体１０の構造は複雑化せず、使用者がいずれの操作レバーを使用しても確実に希釈水流路弁２３及び原液流路弁２４を開放することができる。
【００２３】
また、ノズル１３が設けられている底面部１６は傾斜面１６ａを有しており、この傾斜面１６ａは正面側Ｆから奥側Ｂに向かって下方に傾斜する。従って、ノズル１３から噴射された飲料の水滴やコップから跳ね返った飲料の水滴が底面部１６に付着しても、水滴は傾斜面１６ａを伝わって奥側Ｂに流れ落ちる。このため、バルブ本体１０の上部に上側操作レバー１２が設けられた結果、底面部１６のスペースが広くなり水滴が付着しやすくなった場合であっても、水滴はスムーズに底面部１６から流れ落ちるため、底面部１６の汚れを防止することができる。
【符号の説明】
【００２４】
３ａ  希釈水流路、４ａ  飲料原液流路、１０  バルブ本体、１２  上側操作レバー、１３  ノズル（注出機構）、１６  底面部、１６ａ  傾斜面、２０  下側操作レバー、２３  希釈水流路弁、２４  原液流路弁、２５  レバーアーム（押圧部）、２７  シャフト（押圧部）、２８  取付部（押圧部）、１００  飲料注出バルブ。
【図１】
2018020803.tif 000003
【図２】
2018020803.tif 000004
【図３】
2018020803.tif 000005
【図４】
2018020803.tif 000006
【図５】
2018020803.tif 000007
【図６】
2018020803.tif 000008